【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
複数の行と複数の列よりなる行列に配置された複数の画像を表示手段に表示するように制御する表示制御手段と、
前記表示制御手段が表示する複数の画像を配置するための行列を、第１の行列から、該第１の行列とは行あるいは列の少なくとも一方の数が異なる第２の行列に変更する変更手段と、
前記変更手段による変更が行われると、前記第１の行列において選択されている画像が配置されている行および列に対応する前記第２の行列における位置を基準位置とし、該基準位置に前記選択されている画像が配置されるように、複数の画像を該第２の行列に配置するように制御する制御手段と
を有することを特徴とする表示制御装置。
【請求項２】
前記第１の行列において前記選択されている画像が配置されている位置の行および列と、前記第１の行列の行および列の数と、前記第２の行列の行および列の数とに基づいて、前記基準位置を算出する算出手段をさらに有することを特徴とする請求項１に記載の表示制御装置。
【請求項３】
前記算出手段は、
前記基準位置の行と前記第２の行列の行の数との比と、前記第１の行列において前記選択されている画像が配置されている位置の行と前記第１の行列の行の数との比が対応し、前記基準位置の列と前記第２の行列の列の数との比と、前記第１の行列において前記選択されている画像が配置されている位置の列と前記第１の行列の列の数との比が対応するように、前記基準位置の行及び列を算出することを特徴とする請求項２に記載の表示制御装置。
【請求項４】
前記基準位置の行は、前記第２の行列の行の数を、前記第１の行列の行の数で除算した値に前記第１の行列において前記選択されている画像が配置されている位置の行を乗じた値に基づく行であり、
前記基準位置の列は、前記第２の行列の列の数を、前記第１の行列の列の数で除算した値に前記第１の行列において前記選択されている画像が配置されている位置の列を乗じた値に基づく行であることを特徴とする請求項１乃至３のいずれか１項に記載の表示制御装置。
【請求項５】
前記制御手段は、前記第１の行列において前記選択されている画像が配置されている行が前記第１の行列における端の行である場合には、前記基準位置の行を、前記第１の行列において前記選択されている画像が配置されている端の行に対応する前記第２の行列における端の行とし、
前記制御手段は、前記第１の行列において前記選択されている画像が配置されている列が前記第１の行列における端の列である場合には、前記基準位置の列を、前記第１の行列において前記選択されている画像が配置されている端の列に対応する前記第２の行列における端の列とすることを特徴とする請求項１乃至４のいずれか１項に記載の表示制御装置。
【請求項６】
前記制御手段は、前記変更手段による変更が行われると、前記基準位置に前記選択されている画像が配置されるように、複数の画像を特定の順序で前記第２の行列に配置するように制御することを特徴とする請求項１乃至５のいずれか１項に記載の表示制御装置。
【請求項７】
行列において前記選択されている画像が配置された位置を該行列に関連付けて記憶手段に記録し、該選択されている画像が変更された場合に、現在の行列以外に関連付けて記録された位置をクリアし、該現在の行列に関連付けて記録された位置を、該現在の行列において前記変更された選択されている画像が配置された位置に記録しなおすように制御する記録制御手段をさらに有し、
前記制御手段は、前記変更手段により前記第１の行列から前記第２の行列に変更された場合に、前記第２の行列に関連付けられた位置が前記記憶手段に記憶されている場合には、記憶されている該位置を前記基準位置とすることを特徴とする請求項１乃至６のいずれか１項に記載の表示制御装置。
【請求項８】
前記表示制御手段は、前記変更手段による変更が行われ、前記第２の行列における前記基準位置に前記選択されている画像が表示されるまでの間に、前記第２の行列における該基準位置を示す識別表示を行うように制御することを特徴とする請求項１乃至７のいずれか１項に記載の表示制御装置。
【請求項９】
前記表示制御手段は、前記第２の行列において前記基準位置に配置された前記選択されている画像を、前記第２の行列に配置された他の画像よりも大きく表示するように制御することを特徴とする請求項１乃至８のいずれか１項に記載の表示制御装置。
【請求項１０】
前記表示手段はタッチパネルにより構成され、
前記変更手段は、前記第１の行列に配置して前記表示手段に表示された複数の画像のうちから前記選択されている画像がタッチされることに応じて前記変更を行うことを特徴とする請求項１乃至９のいずれか１項に記載の表示制御装置。
【請求項１１】
前記表示制御装置はデジタルカメラであることを特徴とする請求項１乃至１０のいずれか１項に記載の表示制御装置。
【請求項１２】
表示制御装置による表示制御方法であって、
前記表示制御装置の表示制御手段が、複数の行と複数の列よりなる行列に配置された複数の画像を表示手段に表示するように制御する表示制御工程と、
前記表示制御装置の変更手段が、前記表示制御工程により表示する複数の画像を配置するための行列を、第１の行列から、該第１の行列とは行あるいは列の少なくとも一方の数が異なる第２の行列に変更する変更工程と、
前記変更工程による変更が行われると、前記表示制御装置の制御手段が、前記第１の行列において選択されている画像が配置されている行および列に対応する前記第２の行列における位置を基準位置とし、該基準位置に前記選択されている画像が配置されるように、複数の画像を該第２の行列に配置するように制御する制御工程と
を有することを特徴とする表示制御方法。
【請求項１３】
コンピュータに、請求項１２に記載の表示制御方法の各工程を実行させるためのプログラム。
【請求項１４】
コンピュータに、請求項１２に記載の表示制御方法の各工程を実行させるためのプログラムを記録したコンピュータ読み取り可能な記録媒体。
【手続補正２】
【補正対象書類名】明細書
【補正対象項目名】００１３
【補正方法】変更
【補正の内容】
【００１３】
本発明は、上述した課題を解決するために、複数の行と複数の列よりなる行列に配置された複数の画像を表示手段に表示するように制御する表示制御手段と、前記表示制御手段が表示する複数の画像を配置するための行列を、第１の行列から、該第１の行列とは行あるいは列の少なくとも一方の数が異なる第２の行列に変更する変更手段と、前記変更手段による変更が行われると、前記第１の行列において選択されている画像が配置されている行および列に対応する前記第２の行列における位置を基準位置とし、該基準位置に前記選択されている画像が配置されるように、複数の画像を該第２の行列に配置するように制御する制御手段とを有することを特徴とする表示制御装置である。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
また、本発明は、表示制御装置による表示制御方法であって、前記表示制御装置の表示制御手段が、複数の行と複数の列よりなる行列に配置された複数の画像を表示手段に表示するように制御する表示制御工程と、前記表示制御装置の変更手段が、前記表示制御工程により表示する複数の画像を配置するための行列を、第１の行列から、該第１の行列とは行あるいは列の少なくとも一方の数が異なる第２の行列に変更する変更工程と、前記変更工程による変更が行われると、前記表示制御装置の制御手段が、前記第１の行列において選択されている画像が配置されている行および列に対応する前記第２の行列における位置を基準位置とし、該基準位置に前記選択されている画像が配置されるように、複数の画像を該第２の行列に配置するように制御する制御工程とを有することを特徴とする表示制御方法である。
【手続補正５】
【補正対象書類名】明細書
【補正対象項目名】００１６
【補正方法】削除
【補正の内容】